(57)【要約】【課題】  非接触式ＩＣカードリーダライタにおいて、通信部の交信範囲を明確に表示することにより、利用者が非接触式ＩＣカードを正確に交信範囲に近づけられることができるようにするとともに、データ処理結果を利用者に明確に認識させる。【解決手段】  非接触式ＩＣカードリーダライタ１の電源がＯＮされると、ＬＥＤ表示部４の電源表示灯４ａが点灯する（Ｓ１）。また、液晶表示部２に受付可能状態を示す画像データが表示された（Ｓ３）後、非接触式ＩＣカードが交信範囲５にかざされると（Ｓ５−肯定）、該ＩＣカードの保有しているデータのリード／ライトを実行し（Ｓ６）、正常に終了すれば（Ｓ７−肯定）、ＬＥＤ表示部４のデータ処理識別表示灯４ｂを緑色に発光させる（Ｓ８）。逆に正常に終了しない場合（Ｓ７−否定）は、ＬＥＤ表示部４のデータ処理識別表示灯４ｂを赤色に発光させる（Ｓ９）。【選択図】          図３
2006004205.tif 000002
【特許請求の範囲】
【請求項１】
通信部の交信範囲に近づけられる非接触式ＩＣカードに対して該非接触式ＩＣカードのデータの書き込みおよび読み込みを行う非接触式ＩＣカードリーダライタにおいて、
非接触式ＩＣカードが受け付け可能か否かの状態を文字言語表示あるいは記号表示する表示手段を設けた、
ことを特徴とする非接触式ＩＣカードリーダライタ。
【請求項２】
通信部の交信範囲に近づけられる非接触式ＩＣカードに対して該非接触式ＩＣカードのデータの書き込みおよび読み込みを行う非接触式ＩＣカードリーダライタにおいて、
前記通信部の交信範囲の外側を囲う発光表示手段を設けた、
ことを特徴とする非接触式ＩＣカードリーダライタ。
【請求項３】
前記通信部の交信範囲の外側を囲う発光表示手段は、当該非接触式ＩＣカードリーダライタの電源が投入された場合に点灯する電源表示灯である、
ことを特徴とする請求項２に記載の非接触式ＩＣカードリーダライタ。
【請求項４】
前記通信部の交信範囲の外側を囲う発光表示手段は、正常にデータ処理が終了した場合と正常にデータ処理が終了しなかった場合とを異なる発光色で点灯するデータ処理識別表示灯である、
ことを特徴とする請求項２に記載の非接触式ＩＣカードリーダライタ。
【発明の詳細な説明】
【技術分野】
【０００１】
本発明は、非接触式ＩＣカードリーダライタに関する発明であって、鉄道や乗合バス等における非接触式ＩＣカードによる運賃支払いのために使用される非接触式ＩＣカードリーダライタに関する。
【背景技術】
【０００２】
従来、この種の非接触式ＩＣカードリーダライタは、例えば特許文献１に示されている。図４〜図６は特許文献１に示されている乗合バスに使用される非接触式ＩＣカードリーダライタ５１であって、図６に示されるように、乗務員用料金操作盤５２と共に当該非接触式ＩＣカードリーダライタ５１を２台を接続して使用され、乗車時に乗客が乗車側に設置された非接触式ＩＣカードリーダライタ５１に非接触式ＩＣカードを近づけると、その走行区間内における最高料金が、非接触式ＩＣカードリーダライタ５１の正面の上部に設けられた液晶表示部５３に表示されて、一旦最高料金相当額が引き落とされる。そして、降車時に降車側に設置された非接触式ＩＣカードリーダライタ５１に再度非接触式ＩＣカードを近づけると、実際の利用区間の運賃と最高金額との差額が液晶表示された上、差額分が書き戻されるしくみになっている。あるいは、乗車時に乗客が乗車側に設置された非接触式ＩＣカードリーダライタ５１に非接触式ＩＣカードを近づけると、乗車地データを非接触式ＩＣカードに書き込み、降車時に降車側に設置された非接触式ＩＣカードリーダライタ５１に再度非接触式ＩＣカードを近づけると、非接触式ＩＣカードに書き込まれている乗車地データと現在地とから運賃を算出し、この運賃が引き落とされ、減算後の残金が非接触式ＩＣカードに書き込まれるしくみのものもある。
【０００３】
また、この非接触式ＩＣカードリーダライタ５１における透光性を有する一対の矩形上の部分５４ａ、５４ｂの奥には、それぞれ電球が設けられており、上述のカードデータ処理が正常に行われた場合には、左側５４ａの電球（図示しない）が点灯し、正常に行われなかった場合には右側５４ｂの電球（図示しない）が点灯するようになっている。このように、料金データ等を非接触式ＩＣカードに記憶させておくことにより、乗客は非接触式ＩＣカードリーダライタ５１に設けられた通信部の交信範囲５５に非接触ＩＣカードを近づけるだけでよく、磁気カードリーダライタと比較すると、定期入れからのカードの出し入れや投入口の投入が不要になり、利用者における乗降車時の煩わしさを解消してのカードリーダライタ利用率を向上することができる。なお、本例では、乗合バスにおける使用例を説明したが、鉄道の自動改札機用としても使用される。
【特許文献１】意匠登録第９８６３７５号公報
【発明の開示】
【発明が解決しようとする課題】
【０００４】
しかしながら、上記非接触式ＩＣカードを介してデータ処理を行う非接触式ＩＣカードリーダライタでは、利用者は非接触式ＩＣカードを通信部の交信部の交信範囲に近づけるだけであるため、磁気カードリーダライタの磁気券の挿入口におけるシャッタのように受付の可否を表示する手段がなく、データ処理の可否、即ち非接触式ＩＣカードの受付状態を利用者に認識させることができず、データ処理が拒否された場合に、券の不良により拒否されたのか又はその改札機が受付中止状態であったのか判断できず、利用者において適当な対応をとることができない問題があった。また、非接触式ＩＣカードリーダライタにおいて通信部が設けられている位置を確実に知らせる手段がないため、非接触式ＩＣカードを位置させるべき交信範囲が明確に認知できず、非接触式ＩＣカードが正確に交信範囲に近づけられない場合があり、処理部において通行データの読取り不良を生じる問題があった。
【０００５】
本発明は、非接触式ＩＣカードリーダライタに設けた表示手段により非接触ＩＣカードの受付状態を表示することにより、利用者が受付状態に応じた適当な処置を取ることができる非接触式ＩＣカードリーダライタを提供することを目的としている。
【０００６】
また、通信部の交信範囲を明確に表示することにより、利用者において非接触式ＩＣカードを正確に交信範囲に近づけられることができるようにし、処理装置の読取り不良の発生を未然に防止することができる非接触式ＩＣカードリーダライタを提供することを目的としている。
【課題を解決するための手段】
【０００７】
前記目的を達成するために、本発明のうちで請求項１に記載の非接触式ＩＣカードリーダライタは、
通信部の交信範囲に近づける非接触式ＩＣカードに対して該非接触式ＩＣカードのデータの書き込みおよび読み込みを行う非接触式ＩＣカードリーダライタにおいて、
非接触式ＩＣカードが受け付け可能か否かの状態を文字言語表示あるいは記号表示する表示手段を設けた、
ことを特徴とする。
【０００８】
また、請求項２に記載の非接触式ＩＣカードリーダライタは、
通信部の交信範囲に近づける非接触式ＩＣカードに対して該非接触式ＩＣカードのデータの書き込みおよび読み込みを行う非接触式ＩＣカードリーダライタにおいて、
前記通信部の交信範囲の外側を囲う発光表示手段を設けた、
ことを特徴とする。
【０００９】
また、請求項３に記載の非接触式ＩＣカードリーダライタは、請求項２に記載の非接触式ＩＣカードリーダライタに加えて、
前記通信部の交信範囲の外側を囲う発光表示手段は、当該非接触式ＩＣカードリーダライタの電源が投入された場合に点灯する電源表示灯である、
ことを特徴とする。
【００１０】
また、請求項４に記載の非接触式ＩＣカードリーダライタは、請求項２に記載の非接触式ＩＣカードリーダライタに加えて、
前記通信部の交信範囲の外側を囲う発光表示手段は、正常にデータ処理が終了した場合と正常にデータ処理が終了しなかった場合とを異なる発光色で点灯するデータ処理識別表示灯である、
ことを特徴とする。
【発明の効果】
【００１１】
請求項１に記載の非接触式ＩＣカードリーダライタによれば、
文字表示を可能とする表示手段を設け、そこに非接触式ＩＣカードが受け付け可能か否かの状態を文字言語あるいは記号にて表示することとしたので、利用者は、非接触式ＩＣカードリーダライタが使用可能であるかどうかを明確に察することができる。
【００１２】
請求項２に記載の非接触式ＩＣカードリーダライタによれば、
非接触式ＩＣカードに対する通信部の交信範囲の外側を囲うようにして発光表示手段を設けたことにより、その交信範囲の位置を利用者に対して明確に認識させることができる。
【００１３】
請求項３に記載の非接触式ＩＣカードリーダライタによれば、
前記発光表示手段として、非接触式ＩＣカードリーダライタの電源が投入されたことを表す電源表示灯を設けた。これによって、当該非接触式ＩＣカードリーダライタの受信が受付状態にあるか否かには無関係に、電源が投入された場合には点灯しているので、その交信範囲の位置を利用者に対して明確に認識させることができる。
【００１４】
請求項４に記載の非接触式ＩＣカードリーダライタによれば、
前記発光表示手段として、データ処理識別表示灯を設け、正常にデータ処理が終了した場合と正常にデータ処理が終了しなかった場合とを異なる発光色で点灯するようにした。これによって、交信範囲を明確に認識するとともに、正常にデータ処理されたかどうかを発光色の違いによって利用者は認識できるようになる。
【発明を実施するための最良の形態】
【００１５】
以下、本発明の実施形態を図１〜３を用いて説明する。
（実施例）
【００１６】
図１は本発明の実施例である非接触式ＩＣカードリーダライタの斜視図である。非接触式ＩＣカードリーダライタ１は、本体ケース７に蓋体６が被せられるようにして嵌合しており、蓋体６の正面側には、液晶表示部２、アンテナ部３およびＬＥＤ表示部４が設置されている。液晶表示部２には、運賃や残額などのカードデータを表示する他、カードの処理結果、カードの受け付け可能か否かの状態を表示する。アンテナ部３は、本体ケース７内部に設けられた図示しない非接触式ＩＣカードの通信部を構成しており、このアンテナ部３が設けられている位置の上部（蓋体６の正面側）の所定範囲が交信範囲５である。この交信範囲５は、ＬＥＤ表示部４に囲まれた内側の領域である。ＬＥＤ表示部４は、電源表示灯４ａとデータ処理識別表示灯４ｂとから構成される。ＬＥＤ表示部４の下部に位置する本体ケース７内部（図示しない）にはＬＥＤが設けられている。
【００１７】
図２は、前記非接触式ＩＣカードリーダライタ１の制御部を構成するブロック図である。ＣＰＵ１１は非接触式ＩＣカードリーダライタ１全体の制御を統括する。ＲＯＭ１２には、ＣＰＵ１１の処理プログラムが予め書き込まれている。また、ＲＡＭ１３には、各種データの一時記憶や利用者数のカウント等を行う領域が設けられている。液晶表示部制御回路１４は、液晶表示部２の表示を制御する。表示ドライバ１５，１６は、ＬＥＤ表示部４の電源表示灯４ａとデータ処理識別表示灯４ｂを点灯制御する。リード／ライト制御回路１７は、アンテナ部３を介して非接触式ＩＣカードとの間でデータの読み取りまたは書き込みを行う。
【００１８】
図３は、前記非接触式ＩＣカードリーダライタ１の制御部の処理手順を示すフローチャートである。非接触式ＩＣカードリーダライタ１の電源がＯＮされると、ＬＥＤ表示部４の電源表示灯４ａが点灯する（Ｓ１）。その後、非接触式ＩＣカードの受付の可否を判断し（Ｓ２）、アンテナ部３が、受付可能状態になった場合には、液晶表示部２に受付可能状態を示す画像データを表示する（Ｓ３）。例えば、「カードをかざして下さい。」「カードをタッチさせてください。」等の文字言語表示をすることもできる。また、「○」のような記号表示を単独表示させても良いし、文字言語表示と併用することも可能である。一方、アンテナ部３が、受付不可能状態の場合には、液晶表示部２に受付不可能状態を示す画像データを表示する（Ｓ４）。例えば、「処理中止です。」とか、「他の改札機をご利用ください。」等の文字言語表示をすることもできる。また、「×」のような記号表示を単独表示させても良いし、文字言語表示と併用することも可能である。その後、該ＩＣカードの待ち受け状態に戻る（Ｓ２）。
【００１９】
液晶表示部２に受付可能状態を示す画像データが表示された（Ｓ３）後、非接触式ＩＣカードが交信範囲５にかざされると（Ｓ５−肯定）、該ＩＣカードの保有しているデータのリード／ライトを実行し（Ｓ６）、正常に終了すれば（Ｓ７−肯定）、ＬＥＤ表示部４のデータ処理識別表示灯４ｂを緑色に発光させる（Ｓ８）。逆に正常に終了しない場合（Ｓ７−否定）は、ＬＥＤ表示部４のデータ処理識別表示灯４ｂを赤色に発光させる（Ｓ９）。その後、非接触式ＩＣカードリーダライタの電源がＯＦＦされると（Ｓ１０−肯定）、ＬＥＤ表示部４の電源表示灯４ａが消灯する（Ｓ１）が、そうでない場合（Ｓ１０−否定）は、該ＩＣカードの待ち受け状態に戻る（Ｓ２）。なお、ステップＳ５において、非接触式ＩＣカードが交信範囲５にかざされない場合には（Ｓ５−否定）、非接触式ＩＣカードリーダライタの電源がＯＦＦされているかどうかを確認し、ＯＦＦされると（Ｓ１０−肯定）、ＬＥＤ表示部４の電源表示灯４ａが消灯する（Ｓ１）が、そうでない場合（Ｓ１０−否定）は、該ＩＣカードの待ち受け状態に戻る（Ｓ２）。
【００２０】
このようにすることによって、非接触式ＩＣカードリーダライタ１に設けた液晶表示部２より、非接触ＩＣカードの受付状態を文字言語表示あるいは記号表示することにより、利用者が受付状態に応じた適当な処置を取ることができる。
【００２１】
また、ＬＥＤ表示部４によって通信部の交信範囲を囲い明確に表示することにより、利用者において非接触式ＩＣカードを正確に交信範囲に近づけられることができるようにし、処理装置の読取り／書き込み不良の発生を未然に防止することができる。
【００２２】
図４または図５に示すように、従来は、データ処理結果を識別させるランプを別途設けていたが、本実施例では、通信部の交信範囲にこの機能を有する表示灯を設けたので、利用者に処理結果を認識させることができると同時に、交信範囲を正確に認知させる機能を付加させることができる。
【００２３】
また、ＬＥＤ表示部４のデータ処理識別表示灯４ｂを設け、正常にデータ処理が終了した場合と正常にデータ処理が終了しなかった場合とを異なる発光色で点灯するようにしたので、交信範囲５を明確に認識するとともに、正常にデータ処理されたかどうかを発光色の違いによって利用者は認識できるようになる。
【００２４】
（応用例等）
なお、本発明は上記の実施例に限定するものではなく、本発明の要旨を変更しない範囲で様々な実施が可能である。例えば、ＬＥＤ表示部４は、電源表示灯４ａとデータ処理識別表示灯４ｂから構成されているが、いずれか一方で構成しても良い。また、データ処理識別表示灯４ｂの表示色を種々の発光色とすることができ、赤色や緑色に限定するものではない。また、ＬＥＤ表示部４は発光素子としてＬＥＤが使用されているが、電球等の他の発光素子でも良い。
【００２５】
また、液晶表示部２に表示させる言語は、日本語に限定されることはなく、外国語でも良いことは当然のことであり、日本語と外国語を併記しても良い。また、ＬＥＤ表示部４のデータ処理識別表示灯４ｂの発光と共に、スピーカを設けて音声によってデータ処理の結果を利用者に知らせるようにしても良い。また、上記実施例では、文字表示を液晶表示部２にて実施しているが、これに限定するものではなく、ＬＥＤ表示器、電子ペーパー等、他の表示装置でも実用可能である。
【図面の簡単な説明】
【００２６】
【図１】本実施例の非接触式ＩＣカードリーダライタの斜視図である。
【図２】本実施例の非接触式ＩＣカードリーダライタの制御部を構成するブロック図である。
【図３】本実施例の非接触式ＩＣカードリーダライタの制御部の処理手順を示すフローチャートである。
【図４】従来の非接触式ＩＣカードリーダライタの正面図である。
【図５】従来の非接触式ＩＣカードリーダライタの斜視図である。
【図６】従来の非接触式ＩＣカードリーダライタの使用状態を示す図である。
【符号の説明】
【００２７】
１  非接触式ＩＣカードリーダライタ、２  液晶表示部、３  アンテナ部、４  ＬＥＤ表示部、４ａ  電源表示灯、４ｂ  データ処理識別表示灯、５  交信範囲、６  蓋体、７  本体ケース、１１  ＣＰＵ、１２  ＲＯＭ、１３  ＲＡＭ、１４  液晶表示部制御回路、１５、１６  表示ドライバ、１７  非接触式ＩＣカードリード／ライト制御回路。
【図１】
2006004205.tif 000003
【図２】
2006004205.tif 000004
【図３】
2006004205.tif 000005
【図４】
2006004205.tif 000006
【図５】
2006004205.tif 000007
【図６】
2006004205.tif 000008